(57)【要約】【課題】筐体内の冷却を効率よく行うと共に、ファンの設置スペースを小さくすることが可能な制御盤を提供する。【解決手段】本発明の制御盤１０では、筐体１１内を区画板１５によって通気空間３１と発熱空間３０とに区画したことで、電気機器１２から熱を奪う前の空気と、熱を奪った後の空気との通過経路が区分され、熱気を効率良く筐体１１の外部に排出することができる。これにより、筐体１１内の冷却効率が向上する。また、ファン１７をメンテナンスする場合には、側面蓋２３を筐体１１から取り外し、基板挿入口２２から区画板１５を引き抜けばよい。即ち、他の電気機器１２を外さずにファン１７を容易にメンテナンスすることができる。【選択図】  図２
2004266910.tif 000002
【特許請求の範囲】
【請求項１】
筐体の内部に電気機器と、前記電気機器を空冷するファンとを収容した制御盤において、
前記筐体の一側壁に対向配置されて、前記一側壁と前記電気機器との間の空間を前記電気機器側の発熱空間と前記一側壁側の通気空間とに区画する区画板を設け、
前記発熱空間を前記筐体の外側に開放する第１開放口と、前記通気空間を前記筐体の外側に開放する第２開放口とを形成し、
前記ファンは、前記区画板に貫通形成した通風窓に重ねて取り付けられかつ、前記発熱空間及び前記通気空間のうちの一方から他方に空気を送ることを特徴とする制御盤。
【請求項２】
前記ファンは、前記通気空間から前記発熱空間に空気を送ることを特徴とする請求項１に記載の制御盤。
【請求項３】
前記第２開放口と前記通風窓との間に、外気に含まれるダスト及び／又はミストを除去するためのフィルタを設けたことを特徴とする請求項２に記載の制御盤。
【請求項４】
前記電気機器のうち前記ファンと対向部分に、放熱フィンを設けたことを特徴とする請求項１乃至３の何れか１項に記載の制御盤。
【請求項５】
前記区画板と対向して前記発熱空間に設けた放熱板により前記発熱空間を前記電気機器を収納する略密閉された機器収納空間と前記第１開放口を介して前記筐体の外側に開放された放熱空間とに分割し、前記放熱板の前記放熱空間側に放熱フィンを設けたことを特徴とする請求項１乃至３の何れか１項に記載の制御盤。
【請求項６】
前記筐体の側壁のうち前記区画板の端部が突き合わされる部分に前記発熱空間及び前記通気空間を共に外側に開放する外部貫通窓を形成し、その外部貫通窓のうち前記区画板によって仕切られる前記発熱空間側を前記第１開放口とし、前記通気空間側を前記第２開放口としたこと特徴とする請求項１乃至５の何れか１項に記載の制御盤。
【請求項７】
前記筐体の前面には、扉が設けられ、前記区画板が対向配置される前記一側壁は、前記筐体の後面壁であり、前記外部貫通窓は、前記筐体の横面壁に形成されていることを特徴とする請求項１乃至６の何れか１項に記載の制御盤。
【請求項８】
前記筐体の側壁のうち前記区画板の端部が突き合わされる部分に、前記区画板を抜き差し可能な基板挿入口を形成したことを特徴とする請求項１乃至７の何れか１項に記載の制御盤。
【請求項９】
前記基板挿入口を前記外部貫通窓としたことを特徴とする請求項８に記載の制御盤。
【請求項１０】
前記筐体には、前記基板挿入口から奥側に延び、前記区画板がスライド可能に係合する挿入ガイド部が設けられたことを特徴とする請求項８又は９に記載の制御盤。
【請求項１１】
前記区画板を、複数の小基板に分割して各小基板にそれぞれに前記ファンを取り付け、それら小基板を前記挿入ガイド部に順次に挿入可能としたことを特徴とする請求項８乃至１０の何れか１項に記載の制御盤。
【請求項１２】
前記小基板同士を相互に回動可能に連結したことを特徴とする請求項１１に記載の制御盤。
【発明の詳細な説明】
【０００１】
【発明の属する技術分野】
本発明は、筐体の内部に収容した電気機器をファンによって空冷する制御盤に関する。
【０００２】
【従来の技術】
電子機器を収納する制御盤は、発熱した電子機器を冷却するためのファンを備えている。このファンには寿命があるため、故障時に又は定期的に交換や点検をしなければならない。一般的な制御盤では、扉を有する前面部から電子機器の組付け／取外し及び操作が出来るように構成されており、ファンはこれら電子機器の背面に配置されている。このため、従来の制御盤では、制御盤の背面側からファンの交換を行っていた。しかしながら、制御盤の背面は機械本体や壁等に密着している場合があり、このような場合には制御盤を移動するか若しくは電気機器を一旦取り外してその奥にあるファンを交換しなければならない。
【０００３】
この問題を解決し得るものとして下記特許文献１に記載のものが提案されている。このものは、ファンを基板の一端にリンク機構を介して取り付けてファンユニットとし、そのファンユニットを筐体の前面から挿入すると、ファンが電気機器の後方に回り込む構造になっている。
【０００４】
【特許文献１】
特開２０００−３４０９７５号公報（段落［００２３］〜［００２５］、［００３３］、第４図）
【０００５】
【発明が解決しようとする課題】
しかしながら、上記した従来のものでは、フレッシュな空気と熱を持った空気との通過経路が筐体内で分かれていなかったので、例えば、電気機器を通過して熱を持った空気が、ファンの吸気側に回り込む虞があり、効率良く冷却を行うことができなかった。さらに、複数の電気機器の後方にファンを配置するには、複数のファンユニットを筐体の複数箇所に挿入する必要があり、また、ファンを回動するためのスペースの確保も必要となることからファンの設置スペースが大きくなるという問題もあった。またさらに、ファンを回動させるリンク機構が複雑であるためにファンユニットの製造工数が大きいという問題もあった。
【０００６】
本発明は、上記事情に鑑みてなされたもので、筐体内の冷却を効率よく行うと共に、ファンの設置スペースを小さくすることが可能な制御盤の提供を目的とする。さらには、ファンの交換が容易な制御盤の提供を目的とする。
【０００７】
【課題を解決するための手段】
上記目的を達成するためになされた請求項１の発明に係る制御盤は、筐体の内部に電気機器と、電気機器を空冷するファンとを収容した制御盤において、筐体の一側壁に対向配置されて、一側壁と電気機器との間の空間を電気機器側の発熱空間と一側壁側の通気空間とに区画する区画板を設け、発熱空間を筐体の外側に開放する第１開放口と、通気空間を筐体の外側に開放する第２開放口とを形成し、ファンは、区画板に貫通形成した通風窓に重ねて取り付けられかつ、発熱空間及び通気空間のうちの一方から他方に空気を送るところに特徴を有する。
【０００８】
請求項２の発明は、請求項１に記載の制御盤において、ファンは、通気空間から発熱空間に空気を送るところに特徴を有する。
【０００９】
請求項３の発明は、請求項２に記載の制御盤において、第２開放口と通風窓との間に、外気に含まれるダスト及び／又はミストを除去するためのフィルタを設けたところに特徴を有する。
【００１０】
請求項４の発明は、請求項１乃至３の何れかに記載の制御盤において、電気機器のうちファンと対向部分に、放熱フィンを設けたところに特徴を有する。
【００１１】
請求項５の発明は、請求項１乃至３の何れかに記載の制御盤において、区画板と対向して発熱空間に設けた放熱板により発熱空間を電気機器を収納する略密閉された機器収納空間と第１開放口を介して筐体の外側に開放された放熱空間とに分割し、放熱板の放熱空間側に放熱フィンを設けたところに特徴を有する。
【００１２】
請求項６の発明は、請求項１乃至５の何れかに記載の制御盤において、筐体の側壁のうち区画板の端部が付き合わされる部分に発熱空間及び前記通気空間を共に外側に開放する外部貫通窓を形成し、その外部貫通窓のうち前記区画板によって仕切られる前記発熱空間側を前記第１開放口とし、前記通気空間側を前記第２開放口としたところに特徴を有する。
【００１３】
請求項７の発明は、請求項１乃至６の何れかに記載の制御盤において、筐体の前面には、扉が設けられ、区画板が対向配置される一側壁は、筐体の後面壁であり、外部貫通窓は、筐体の横面壁に形成されているところに特徴を有する。
【００１４】
請求項８の発明は、請求項１乃至７に記載の制御盤において、筐体の側壁のうち区画板の端部が突き合わされる部分に、区画板を抜き差し可能な基板挿入口を形成したところに特徴を有する。
【００１５】
請求項９の発明は、請求項８に記載の制御盤において、基板挿入口を外部貫通窓としたところに特徴を有する。
【００１６】
請求項１０の発明は、請求項８又は９に記載の制御盤において、筐体には、基板挿入口から奥側に延び、区画板がスライド可能に係合する挿入ガイド部が設けられたところに特徴を有する。
【００１７】
請求項１１の発明は、請求項８乃至１０の何れかに記載の制御盤において、区画板を、複数の小基板に分割して各小基板にそれぞれにファンを取り付け、それら小基板を挿入ガイド部に順次に挿入可能としたところに特徴を有する。
【００１８】
請求項１２の発明は、請求項１１に記載の制御盤において、小基板同士を相互に回動可能に連結したところに特徴を有する。
【００１９】
【発明の作用及び効果】
＜請求項１の発明＞
請求項１の制御盤では、区画板によって区画された発熱空間及び通気空間の間をファンの駆動により空気が一方向に流れ、第１及び第２の開放口の何れか一方の開放口から取り込まれた外気が、筐体内で電気機器の熱を奪って、他方の開放口から排出される。このように、本発明では、筐体内を区画板によって発熱空間と通気空間とに区画したことで、電気機器から熱を奪う前の空気と、熱を奪った後の空気との通過経路が区分され、熱を奪った後の空気を効率良く筐体の外部に排出することができ、筐体内の冷却効率が向上する。
【００２０】
＜請求項２の発明＞
請求項２の制御盤では、ファンは、通気空間から発熱空間に空気を送るので、発熱空間内に相対的に温度の低い外気が吹き付けられて、冷却効率が向上する。
【００２１】
＜請求項３の発明＞
請求項３の制御盤では、フィルタにより外気に含まれるダスト及び／又はミストを除去して、発熱空間内へのダスト及び／又はミストの進入を規制することができる。
【００２２】
＜請求項４の発明＞
請求項４の制御盤では、電気機器のうちファンと対向する部分に放熱フィンを設けたので、冷却効率が向上する。
【００２３】
＜請求項５の発明＞
請求項５の制御盤では、電子機器を収納する機器収納空間が略密閉されているので、ダスト及び／又はミストが浮遊する悪環境で制御盤を使用する場合でも、ダスト及び／又はミストが電子機器に付着または浸入することが抑えられる。
【００２４】
＜請求項６の発明＞
請求項６の制御盤のように、筐体の側壁のうち区画板の端部が突き合わされる部分に発熱空間及び通気空間を共に外側に開放する外部貫通窓を形成したので、ダクト等を設けた場合に比べて、第１及び第２の開放口を容易に形成することができる。
【００２５】
＜請求項７の発明＞
一般に、扉を備えた筐体に収容された電気機器は、その扉側に操作部、表示部等が配置され、後側に電気機器の発熱部が配置される。そして、本発明の制御盤では、筐体の後面壁に区画板を配置したので、区画板に取り付けたファンにより電気機器の後部の発熱部分を効率良く冷却することができる。また、外部貫通窓を筐体の横面壁に設けたので、後面壁が機械本体や壁等に密着している場合でも、側方から容易にファンを交換することができる。
【００２６】
＜請求項８の発明＞
請求項８の制御盤では、筐体の側壁に形成した基板挿入口から区画板を筐体に対して抜き差しすることができるので、区画板に取り付けたファンを容易にメンテナンスすることができる。
【００２７】
＜請求項９の発明＞
請求項９の制御盤のように、基板挿入口を第１及び第２の開放口に兼用したことで、これらを別々に設けた場合に比べて筐体の構造が簡素化される。
【００２８】
＜請求項１０の発明＞
請求項１０の制御盤では、区画板がスライド可能に係合する挿入ガイド部を設けたことで、区画盤の抜き差し作業をスムーズに行うことができる。
【００２９】
＜請求項１１の発明＞
請求項１１の制御盤では、区画板を、複数の小基板に分割して、それら小基板を挿入ガイド部に順次に挿入可能としたので、基板挿入口の外側において、区画板を抜き差しするためのスペースを小さくすることが可能になり、制御盤を他の制御盤、壁等の横に近づけて設置することができる。
【００３０】
＜請求項１２の発明＞
請求項１２の制御盤では、小基板同士を相互に回動可能に連結したので、複数の小基板を一体的に挿入ガイド部に抜き差しすることができ作業効率が向上する。
【００３１】
【発明の実施の形態】
＜第１実施形態＞
以下、本発明の第１実施形態を図１〜図４に基づいて説明する。
図１には、本実施形態に係る制御盤１０の全体が示されている。この制御盤１０は、直方体形状の筐体１１の内部に、複数の電気機器１２（図２参照）を備える。筐体１１は、例えば鉄板で形成され、扉１４を備えた前面と、その他５面の側壁によって構成される。扉１４を開けると、電気機器１２群に臨むことができる。
【００３２】
電気機器１２は、例えば電源装置やサーボアンプ等からなり、電気機器１２のうち扉１４側の前面には、端子台、表示部、操作部等（図示せず）が備えられる一方、扉１４と反対側の後面には、放熱フィン１３（図２参照）が備えられている。
【００３３】
図３に示すように、筐体１１の後面側には、電気機器１２の後端部を上下方向で挟んで対向する上下対向壁２０，２１が設けられている。そして、本発明に係る区画板１５が、これら上下対向壁２０，２１の間に差し渡されて、筐体１１の後面壁１１Ａに対向した状態で収容されている。これにより、筐体１１の後面壁１１Ａと放熱フィン１３との間の空間が、電気機器１２側の発熱空間３０と後面壁１１Ａ側の通気空間３１とに区画されている。
【００３４】
詳細には、区画板１５は、例えば、鉄板に円形の複数の通風窓１６を貫通形成してなり、各通風窓１６には、扁平矩形のファン１７が重ねて取り付けられている。各ファン１７は、各通風窓１６と中心を合わされて、通風窓１６の縁部にねじ止めされている。また、筐体１１の一方の横面壁１１Ｂには、各上下対向壁２０，２１の間の空間を外側に開放する基板挿入口２２が貫通形成されている。さらに、各上下対向壁２０，２１には、それらの互いの対向面の後端寄り位置に、レール状の挿入ガイド部２０Ａ，２１Ａが溶接付けされて基板挿入口２２の奥側に延びている。そして、区画板１５のうちファン１７を取り付けた側の面を、前側（電気機器１２の放熱フィン１３側）に向けた状態にして、区画板１５が挿入ガイド部２０Ａ，２１Ａに沿って基板挿入口２２内にスライド挿入して組み付けられている。なお、基板挿入口２２は本発明の「外部貫通窓」を兼ねている。
【００３５】
区画板１５は、挿入ガイド部２０Ａ，２１Ａの奥まで挿入されると、区画板１５の左右方向の一端部が筐体１１のうち僅かに内側に位置する一方、区画板１５の他端部が、筐体１１の内壁又は横面壁に突き合わされる。これにより発熱空間３０及び通気空間３１の間における空気の自由な流れが規制される。また、基板挿入口２２は、区画板１５を挿入後に側面蓋２３にて閉じられる。図４に示すように、側面蓋２３には、複数のスリットを前後方向に並べたスリット群２４が、上下方向において間隔を空けて複数設けられている。また、筐体１１の後面壁１１Ａには、作業窓２５が形成されており、この作業窓２５は、後面壁１１Ａにねじ止めされた後面板２６によって常には閉じられている。
【００３６】
次に、上記構成からなる本実施形態の作用・効果を説明する。
制御盤１０は、例えば、工作機械やロボット等の制御のために用いられ、自動車の製造ライン等の近傍に配置される。制御盤１０の電源をオンすると、制御盤１０内の電気機器１２及びファン１７に電力が供給され、電気機器１２から熱が発生し、さらに工作機械等を駆動すると電気機器１２からの発熱量が増加して、発熱空間３０内の温度が上昇する。
【００３７】
ここで、制御盤１０の電源オンと共に、ファン１７も駆動されて、通気空間３１から発熱空間３０に強制的に空気が流される。これにより、図２に示すように、基板挿入口２２のうち区画板１５より後方の開口部分（本発明の「第２開放口」に相当する）、詳細には、側面蓋２３のスリット群２４のうち区画板１５の近傍及び区画板１５より後方のスリット２４Ａ（本発明の「第２開放口」に相当する）から発熱空間３０にフレッシュな空気が取り込まれる。そして、通気空間３１を空気が通過して区画板１５の各通風窓１６及びファン１７を通して、電気機器１２の放熱フィン１３に空気が吹き付けられる。また、電気機器１２の熱を奪った空気が、基板挿入口２２のうち区画板１５より前側の開口部分（本発明の「第１開放口」に相当する）、詳細には、スリット群２４のうち区画板１５より前方のスリット２４Ｂ（本発明の「第１開放口」に相当する）から筐体１１外に排出される。
【００３８】
このように本実施形態の制御盤１０では、筐体１１内を区画板１５によって通気空間３１と発熱空間３０とに区画したことで、電気機器１２から熱を奪う前の空気と、熱を奪った後の空気との通過経路が区分され、熱気を効率良く筐体１１の外部に排出することができる。これにより、筐体１１内の冷却効率が向上する。なお、スリット２４Ｂから放出される空気はある程度の勢いで筐体外部に放出されるので、この空気がスリット２４Ａから再び流入して還流する割合は少ない。
【００３９】
また、ファン１７をメンテナンスする場合には、側面蓋２３を筐体１１から取り外し、基板挿入口２２から区画板１５を引き抜けばよい。即ち、後面壁１１Ａが機械本体や壁等に面していても、他の電気機器１２を外さずに、ファン１７を側面から容易に引き抜くことができる。ここで、基板挿入口２２を吸気及び排気用に開放口に兼用したので構造が簡素化される。
【００４０】
さらに、本実施形態では、ファン１７及び通風窓１６を、区画板１５に複数設けたことで各ファン１７を小型化することができ、区画板１５からのファン１７の突出量が抑えられ、筐体１１における区画板１５の収納スペースをコンパクトにすることができる。
【００４１】
＜第２実施形態＞
本実施形態は、図５に示されており、第１実施形態とは区画板の構成が異なる。以下、第１実施形態と異なる構成に関してのみ説明し、第１実施形態と同じ構成に関しては第１実施形態と同一符号を付して重複説明を省略する。
【００４２】
本実施形態の区画板４０は、１対の小基板４１，４１を連結部材で相互に回動可能に連結した構成になっている。具体的には、小基板４１，４１は、区画板４０を、基板挿入口２２への挿入方向において途中で２分割してなり、連結部材としてのヒンジ４２で連結され、小基板に垂直な方向に回動可能である。各小基板４１，４１には、それぞれ複数のファン１７が取り付けられている。また、一方の小基板４１の端部には取っ手４３が取り付けられている。
【００４３】
本実施形態の制御盤１０では、筐体１１から区画板４０を抜き出すときに、まずは、一方の小基板４１を筐体１１外に抜き出してから、ヒンジ４２を折り曲げることで小基板４１を筐体１１の横面壁１１Ｂ側に倒した状態にして、残りの小基板４１を筐体１１から抜き出すことができる。これにより、区画板４０を筐体１１から抜き差しするために必要なスペースが小さくなり、制御盤１０を他の制御盤や壁等の側方に近づけて配置することができる。
【００４４】
＜第３実施形態＞
本実施形態は、図６に示されており、第１実施形態における区画板１５のうち通気空間３１側にメッシュ５０（本発明の「フィルタ」に相当する）を敷設した構成になっている。以下、第１実施形態と異なる構成に関してのみ説明し、第１実施形態と同じ構成に関しては第１実施形態と同一符号を付して重複説明を省略する。
【００４５】
前記したメッシュ５０は、枠体５１の内側に張られており、その枠体５１を区画板１５に螺子止めすることで、通風窓１６，１６がメッシュ５０にて覆われている。また、枠体５１の下辺からは支持突壁５２が突出している。支持突壁５２は、枠体５１から後面板２６に向かって立ち上がりかつ先端部が上方に屈曲している。これにより、後面板２６とメッシュ５０との間に空間が確保される。
【００４６】
本実施形態によれば、メッシュ５０により外気に含まれるダストやミストが除去され、電気機器１２側へのダストやミストの進入を規制することができる。
【００４７】
＜第４実施形態＞
本実施形態は、図７に示されており、第１実施形態の制御盤１０に吸気用のダクト６０を設けた構造になっている。以下、第１実施形態と異なる構成に関してのみ説明し、第１実施形態と同じ構成に関しては第１実施形態と同一符号を付して重複説明を省略する。
【００４８】
前記ダクト６０は、上下対向壁２１（図３参照）の下方に配置されて、制御盤１０における区画板１５の挿入方向に延び、一端が基板挿入口２２の下方に開放している。また、その開放口はメッシュ６１（本発明の「フィルタ」に相当する）で覆われている。ダクト６０は、長手方向の全体に亘って通気空間３１に連通しており、メッシュ６１を通してダクト６０に外の空気が吸引され、そのダクト６０から上方の通気空間３１に空気が流れて発熱空間３０に取り込まれるようになっている。本実施形態によっても第１及び第３の実施形態と同様の作用効果を奏するとともに、排気と吸気の分離をより確実に行うことができる。
【００４９】
＜第５実施形態＞
本実施形態は、図８及び図９に示されており、第１実施形態の発熱空間３０が、区画板１５と対向して発熱空間３０に設けた放熱板１８により、電気機器１２を収納する略密閉された機器収納空間３２と放熱空間３３とに分割され構造になっている。放熱空間３３はスリット２４Ｂ（本発明の「第１開放口」に相当する）を介して前記筐体の外側に開放されている。以下、第１実施形態と異なる構成に関してのみ説明し、第１実施形態と同じ構成に関しては第１実施形態と同一符号を付して重複説明を省略する。
【００５０】
図８は本実施形態における側面斜視図であり、図９は図８のＢ−Ｂ断面における断面図である。図８及び図９に示すように、筐体１１内部の空間は区画板１５によって発熱空間３０と通気空間３１とに区画されている。発熱空間３０はさらに放熱板１８によって電気機器１２を収納する略密閉された機器収納空間３２とスリット２４Ｂを介して前記筐体の外側に開放された放熱空間３３とに区画されている。放熱板１８の放熱空間３３側には、ファン１７に対応する位置に放熱フィン１３が設けられている。
【００５１】
機器収納空間３２内の電気機器１２は、筐体１１の両側壁間に差し渡されたレール７０，７０にＬ型金具７１，７１によって固定されている。電気機器１２から発生した熱は放熱板１８及び放熱フィン１３に伝導し、ファン１７によって冷却される。さらに冷却効果を高めるため、機器収納空間３２内に補助ファン１９を設け、機器収納空間３２内の空気の強制循環を行ってもよい。
【００５２】
本実施形態によれば、電子機器１２を収納する機器収納空間３２が略密閉されているので、ダスト及び／又はミストが浮遊する悪環境で制御盤を使用する場合でも、ダスト及び／又はミストが電子機器１２に付着または浸入することが抑えられる。
【００５３】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１〜第４の各実施形態のファン１７は、通気空間３１から発熱空間３０に空気を送る構成であったが、発熱空間から通気空間に空気を送るようにファンしてもよい。
【００５４】
（２）前記第１〜第４の各実施形態では、基板挿入口２２を通気口としても兼用していたが、基板挿入口と別に通気口及び吸気口を形成してもよい。
【００５５】
（３）前記第１実施形態では、吸気・排気を行う開放口（基板挿入口２２）が筐体１１の横面壁１１Ｂに形成されていたが、吸気及び／又は排気を行う開放口を、筐体の上面壁又は後面壁に形成してもよい。
【００５６】
（４）前記第２実施形態では、小基板４１，４１同士を連結部材としてのヒンジ４２で連結して一体化した構成であったが、複数の小基板を連結せずに別体にしたものであってもよい。また、連結部材はヒンジではなく、例えば環状のリングによって小基板同士を連結するものであってもよい。
【００５７】
（５）前記第１〜第４の各実施形態では、区画板は筐体１１の前面から見た右側の横面壁に形成された基板挿入口２２から抜き差しされる構成であったが、基板挿入口は左側の横面壁に形成してもよい。また、基板挿入口を左右両側の横面壁に形成してもよい。左右両側の横面壁に基板挿入口を形成した場合には、作業者は作業現場の状況に応じて作業が容易な基板挿入口を選択することができ、さらに作業効率を向上できる。
【００５８】
（６）前記第１〜第４の各実施形態では、基板挿入口２２のみから排気と吸気を行っていたが、区画板の抜き差しとは関係なく、区画板の端部が突き合わされる部分に発熱空間及び通気空間を共に外側に開放する外部貫通窓を形成してもよい。
【図面の簡単な説明】
【図１】本発明の一実施形態に係る制御盤の前面側斜視図
【図２】図１のＡ−Ａ断面における断面図
【図３】基板挿入口に挿入された区画板の斜視図
【図４】制御盤の後面側斜視図
【図５】第２実施形態の制御盤の前面側斜視図
【図６】第３実施形態の制御盤の後面側斜視図
【図７】第４実施形態の制御盤の後面側斜視図
【図８】第５実施形態に係る制御盤の側面側斜視図
【図９】図８のＢ−Ｂ断面における断面図
【符号の説明】
１０…制御盤
１１…筐体
１１Ａ…後面壁
１１Ｂ…横面壁
１２…電気機器
１３…放熱フィン
１４…扉
１５，４０…区画板
１６…通風窓
１７…ファン
１８…放熱板
２０Ａ，２１Ａ…挿入ガイド部
２２…基板挿入口（第１開放口、第２開放口）
２４Ａ…スリット（第２開放口）
２４Ｂ…スリット（第１開放口）
３０…発熱空間
３１…通気空間
３２…機器収納空間
３３…放熱空間
４１…小基板
４２…ヒンジ
５０，６１…メッシュ（フィルタ）
【図１】
2004266910.tif 000003
【図２】
2004266910.tif 000004
【図３】
2004266910.tif 000005
【図４】
2004266910.tif 000006
【図５】
2004266910.tif 000007
【図６】
2004266910.tif 000008
【図７】
2004266910.tif 000009
【図８】
2004266910.tif 000010
【図９】
2004266910.tif 000011